(57)【要約】【課題】かしめ装置がなくても、簡単な構成で蓋をシールドケースに確実に取り付けできることを課題とする。【解決手段】マグネトロン本体２の入力側に接続されるコンデンサ１０と、該コンデンサ１０を収納するシールドケース１１と、該シールドケース１１の開口部１１ａを覆う蓋１４とを備え、該蓋１４の曲部１４ａには凸部１４ｂを、前記シールードケース１１には凹部１１ｂをそれぞれ複数形成し、前記凸部１１ｂを前記凹部１４ｂに嵌合して前記蓋１４を前記シールドケース１１に取り付けた【選択図】　図６
2004119321.tif 000002
【特許請求の範囲】
【請求項１】
マグネトロン本体の入力側に接続されるフィルタと、該フィルタを収納するシールドケースと、該シールドケースの開口部を覆う蓋とを備え、該蓋には凸部を、前記シールードケースには凹部をそれぞれ複数形成し、前記凸部を前記凹部に嵌合して前記蓋を前記シールドケースに取り付けたことを特徴とするマグネトロン。
【請求項２】
前記凸部の上部に、下方に向かって傾斜する傾斜面を形成したことを特徴とする請求項１記載のマグネトロン。
【請求項３】
マグネトロン本体の入力側に接続されるフィルタと、該フィルタを収納するシールドケースと、該シールドケースの開口部を覆う蓋とを備え、該蓋には凹部を、前記シールードケースには凸部をそれぞれ複数形成し、前記凸部を前記凹部に嵌合して前記蓋を前記シールドケースに取り付けたことを特徴とするマグネトロン。
【請求項４】
前記凸部の下部に、上方に向かって傾斜する傾斜面を形成したことを特徴とする請求項３記載のマグネトロン。
【請求項５】
前記凸部と前記凹部が嵌合したとき、前記シールドケースの開口縁が当接する当接部を前記蓋に形成したことを特徴とする請求項１乃至請求項４記載のマグントロン。
【請求項６】
前記凸部と前記凹部とが嵌合する間隔を基本周波数の所望高調波の４分の１波長以下としたことを特徴とする請求項１乃至請求項５記載のマグネトロン。
【請求項７】
マグネトロン本体の入力側に接続されるフィルタと、該フィルタを収納するシールドケースと、該シールドケースの開口部を覆う蓋とを備え、該蓋に傾斜して折り曲げられた折曲片を複数形成し、該折曲片を前記シールドケースに当接して前記蓋を前記シールドケースに取り付けたことを特徴とするマグネトロン。
【請求項８】
前記折曲片が前記シールドケースに当接したとき、前記前記シールドケースの開口縁が当接する当接部を前記蓋に形成したことを特徴とする請求項７記載のマグントロン。
【請求項９】
マグネトロン本体の入力側に接続されるフィルタと、該フィルタを収納するシールドケースと、該シールドケースの開口部を覆う蓋とを備え、前記シールドケースの側壁に傾斜して折り曲げられた折曲片を複数形成し、該折曲片を前記蓋に当接して前記蓋を前記シールドケースに取り付けたことを特徴とするマグネトロン。
【請求項１０】
前記折曲片が前記蓋に当接したとき、前記前記シールドケースの開口縁が当接する当接部を前記蓋に形成したことを特徴とする請求項９記載のマグントロン。
【請求項１１】
前記折曲片の間隔を基本周波数の所望高調波の４分の１波長以下としたことを特徴とする請求項７乃至請求項１０記載のマグネトロン。
【発明の詳細な説明】
【０００１】
【発明の属する技術分野】
本発明は、電子レンジなどのマイクロ波加熱器などに用いられるマグネトロンに関する。
【０００２】
【従来の技術】
従来のマグネトロンは、特許文献１に示されるように、マグネトロンの陰極入力側にインダクタおよび貫通コンデンサからなるフィルタを設け、このフィルタは下面開口のシールドケースで収納され、このシールドケースの下面開口は蓋によって閉塞されている。
【０００３】
このような構成において、蓋をシールドケースに取り付ける方法は、シールドケースの端部の全周を蓋の先端部で覆い、この先端部をシールドケースの端部に向かって折り曲げ、かしめにて圧着する方法が採られている。
【０００４】
しかしながら、上記の取付方法では、先端部を折り曲げるためにかしめ装置が必要であるが、このかしめ装置において、先端部を折り曲げる押圧治具の押圧ストロークが長すぎると、押し過ぎてしまってシールドケースが変形し、逆に押圧ストロークが短すぎるとかしめ強度の低下を招き、蓋がシールドケースから外れてしまうことがある。また、押圧ストロークが最適化できても、蓋の先端部がシールドケースの端部の全周でかしめられるため、シールドケースのコーナ部にストレスが集中し、このコーナ部にしわや破れが生じることがあることから、押圧治具を複数に分割し、それぞれの押圧治具で押圧するタイミングをずらし、コーナ部にかかるストレスを分散させる必要があった。
【０００５】
このように、蓋をシールドケースに確実に取り付けるためには、かしめ装置の管理を常に監視しておかなければならないことに加え、かしめ装置の構造が複雑化し、かしめ装置への投資費用が高額となり、生産上、非常に効率が悪くなるとう問題があった。
【０００６】
【特許文献１】特開昭６３−２２１５３６号公報（第４頁　第３図）
【０００７】
【発明が解決しようとする課題】
本発明は、かしめ装置がなくても、簡単な構成で蓋をシールドケースに確実に取り付けできるマグネトロンを提供することを課題とする。
【０００８】
【課題を解決するための手段】
本発明は、マグネトロン本体の入力側に接続されるフィルタと、該フィルタを収納するシールドケースと、該シールドケースの開口部を覆う蓋とを備え、該蓋には凸部を、前記シールドケースには凹部をそれぞれ複数形成し、前記凸部を前記凹部に嵌合して前記蓋を前記シールドケースに取り付けたことを特徴とする。
【０００９】
上記構成によって、前記蓋に形成された前記凸部を前記シールドケースに形成された前記凹部にそれぞれ嵌合させると、前記蓋は、前記シールドケースの開口部を覆うようにして前記シールドケースへ取り付けられる。従って、前記蓋を前記シールドケースに取り付けるためには、前記凸部を前記凹部に嵌合させるだけで簡単に取り付けできるので、従来、前記蓋の先端部を折り曲げてかしめるために必要であったかしめ装置が不要となり、無駄な設備投資を抑えることができる。
【００１０】
また、前記凸部の上部に、下方に向かって傾斜する傾斜面を形成したことを特徴とするので、前記凸部が前記凹部に嵌合するまで、前記蓋を前記シールドケースの上方へ押し込まなければならないが、この押し込み作業の際、前記傾斜面が下方に向かって傾斜しているため、前記シールドケースの開口縁が前記傾斜面に沿って案内され、前記凸部を前記凹部に円滑に嵌合させることができる。
【００１１】
また、マグネトロン本体の入力側に接続されるフィルタと、該フィルタを収納するシールドケースと、該シールドケースの開口部を覆う蓋とを備え、該蓋には凹部を、前記シールードケースには凸部をそれぞれ複数形成し、前記凸部を前記凹部に嵌合して前記蓋を前記シールドケースに取り付けたことを特徴とするので、前記蓋を前記シールドケースに取り付けるためには、前記シールドケースに形成された前記凸部を前記蓋に形成された前記凹部にそれぞれ嵌合させることで、前記蓋を前記シールドケースに簡単に取り付けできる。従って、従来、前記蓋の先端部を折り曲げてかしめるために必要であったかしめ装置が不要となり、無駄な設備投資を抑えることができる。
【００１２】
また、前記凸部の下部に、上方に向かって傾斜する傾斜面を形成したことを特徴とするので、前記凸部が前記凹部に嵌合するまで、前記蓋を前記シールドケースの上方へ押し込まなければならないが、この押し込み作業の際、前記傾斜面が上方に向かって傾斜しているため、前記蓋を前記シールドケースの開口部方向へ案内しやすくなり、前記凸部を前記凹部に円滑に嵌合させることができる。
【００１３】
また、前記凸部と前記凹部が嵌合したとき、前記シールドケースの開口縁が当接する当接部を前記蓋に形成したことを特徴とするので、前記凸部を前記凹部に嵌合させる際、前記シールドケースの開口縁が前記当接部に当接することによって位置決めとなり、前記凸部と前記凹部とを円滑に嵌合させることができる。また、製造後、何らかのトラブルで外部から力が加わっても前記シールドケースの開口縁が前記当接部に当接していることで、前記蓋が前記シールドケースの開口部に陥没することを防止できる。
【００１４】
また、前記凸部と前記凹部とが嵌合する間隔を基本周波数の所望高調波の４分の１波長以下としたことを特徴とするので、前記凸部と前記凹部とが嵌合する部分では確実に電気的に短絡されているが、嵌合と嵌合との間で隙間が生じてもその隙間の長さの４倍以上の波長の電波は透過しにくくなるので、前記凸部と前記凹部とが嵌合する間隔を、例えば、最近とくに問題になっている電子レンジ用マグネトロンの基本波（２４５０ＭＨｚ）の第５高調波の４分の１波長以下（１２．２５ＧＨｚ：４分の１波長が約６．１ｍｍ）としておけば、第５高調波の漏洩を防止することができる。
【００１５】
また、マグネトロン本体の入力側に接続されるフィルタと、該フィルタを収納するシールドケースと、該シールドケースの開口部を覆う蓋とを備え、該蓋に傾斜して折り曲げられた折曲片を複数形成し、該折曲片を前記シールドケースに当接して前記蓋を前記シールドケースに取り付けたことを特徴とするので、前記蓋に形成された前記折曲片を前記シールドケースに当接させると、前記折曲片の弾性力が前記シールドケース側へ働くため、前記蓋は前記シールドケースに保持された状態となる。従って、前記蓋を前記シールドケースに取り付けるためには、前記折曲片を前記シールドケースに当接するだけで簡単に取り付けできるので、従来、前記蓋の先端部を折り曲げてかしめるために必要であったかしめ装置が不要となり、無駄な設備投資を抑えることができる。
【００１６】
また、前記折曲片が前記シールドケースに当接したとき、前記前記シールドケースの開口縁が当接する当接部を前記蓋に形成したことを特徴とするので、前記折曲片を前記シールドケースに当接させる際、前記シールドケースの開口縁が前記当接部に当接することによって位置決めとなり、前記蓋を所定の位置に配置させることができる。また、製造後、何らかのトラブルで外部から力が加わっても前記シールドケースの開口縁が前記当接部に当接していることで、前記蓋が前記シールドケースの開口部に陥没することを防止できる。
【００１７】
また、マグネトロン本体の入力側に接続されるフィルタと、該フィルタを収納するシールドケースと、該シールドケースの開口部を覆う蓋とを備え、前記シールドケースに傾斜して折り曲げられた折曲片を複数形成し、該折曲片を前記蓋に当接して前記蓋を前記シールドケースに取り付けたことを特徴とするので、前記シールドケースに形成された複数の前記折曲片を前記蓋に当接させると、前記折曲片の弾性力が前記蓋側へ働くため、前記シールドケースで前記蓋を保持する状態となる。従って、前記蓋を前記シールドケースに取り付けるためには、前記折曲片を前記蓋に当接するだけで簡単に取り付けできるので、従来、前記蓋の先端部を折り曲げてかしめるために必要であったかしめ装置が不要となり、無駄な設備投資を抑えることができる。
【００１８】
また、前記折曲片が前記蓋に当接したとき、前記前記シールドケースの開口縁が当接する当接部を前記蓋に形成したことを特徴とするので、前記折曲片を前記蓋に当接させる際、前記シールドケースの開口縁が前記当接部に当接することによって位置決めとなり、前記蓋を所定の位置に配置させることができる。また、製造後、何らかのトラブルで外部から力が加わっても前記シールドケースの開口縁が前記当接部に当接していることで、前記蓋が前記シールドケースの開口部に陥没することを防止できる。
【００１９】
また、前記折曲片の間隔を基本周波数の所望高調波の４分の１波長以下としたことを特徴とするので、前記折曲片が当接している部分では確実に電気的に短絡されているが、折曲片と折曲片との間で隙間が生じてもその隙間の長さの４倍以上の波長の電波は透過しにくくなるので、前記折曲片の間隔を、例えば、最近とくに問題になっている電子レンジ用マグネトロンの基本波（２４５０ＭＨｚ）の第５高調波の４分の１以下波長（１２．２５ＧＨｚ：４分の１波長が約６．１ｍｍ）としておけば、第５高調波の漏洩を防止することができる。
【００２０】
【発明の実施の形態】
本発明の実施例について、図面に基づき詳述する。
【００２１】
図１は、本発明の第１実施例を示すマグネトロンの側面図、図２は、同マグネトロンのコンデンサの斜視図、図３は、同シールドケースの開口部分を上にしたときの斜視図、図４は、同蓋の斜視図、図５は、同シールドケースにコンデンサが取り付けられたときの要部断面図、図６は、同シールドケースに蓋を取り付けるときの説明図、図７は、同シールドケースに蓋が取り付けられたときの要部断面図、図８は、他の実施例の要部断面図である。
【００２２】
１は、アノード及びカソード（いずれも図示しない）が形成されたマグネトロンの本体で、該本体１の軸方向の上下には、フェライトから成る環状の永久磁石２、３とが前記本体１を挟み込むようにして配置されている。
【００２３】
４は、アルミニウムから形成され、前記本体１で発生した熱を放熱するための冷却フィンで、該冷却フィン１は、前記本体１の外周面に６枚積層圧入されている。
【００２４】
５は、前記本体１で発振したマイクロ波を放射するアンテナ部である。
【００２５】
６は、前記永久磁石２、３及び前記冷却フィン４を内包して磁気回路を形成する枠体、即ち、ヨークで、該ヨーク６は、コ字状に形成された下部ヨーク７と該下部ヨーク７の上方の開口部分を閉塞する上部ヨーク８とによって形成され、ネジ９にて固定されている。
【００２６】
１０は、チョークコイル（図示しない）とともにフイルタを構成し、前記本体１の陰極端子から伝搬される雑音を抑制するコンデンサで、該コンデンサ１０は、後述するシルドケース１１に装着されている。
【００２７】
１１は、フィルタを収納し、箱状に形成されたシールドケースで、該シールドケース１１の一面には、前記コンデンサ１０を挿通させる長孔１２が形成され、該長孔１２の周囲には、鳩目状の突起１３が複数形成されている。
【００２８】
１０ａは、前記コンデンサ１０のアース板で、該アース板１０ａには、前記突起１３と対応する複数の孔１０ｂが形成され、該孔１０ｂを前記突起１３に貫通させた後、図４に示すように前記突起１３を潰すことによって、前記コンデンサ１０が前記シールドケース１１に固定されるようになっている。
【００２９】
１１ｂは、前記シールドケース１１の開口部１１ａ近傍に複数形成された凹部で、該凹部１１ｂは、後述する蓋１４の凸部１４ｂと嵌合するようになっている。
【００３０】
１４は、前記シールドケース１１の開口部１１ａを閉塞する蓋で、該蓋１４の外周縁には曲部１４ａが形成され、更に、該曲部１４ａの外面には前記凹部１１ｂに嵌合させるための凸部１４ｂが形成されている。そして、前記凸部１４ｂの上部は、下方に向かって傾斜する傾斜面１４ｃが形成されており、これは、前記蓋１４を前記シールドケース１１の上方へ押し込んで、前記凸部１４ｂを前記凹部１１ｂに嵌合させる際、図５に示すように前記シールドケース１１の開口縁１１ｃが前記傾斜面１４ｃに沿って案内されるので、前記凸部１４ｂを前記凹部１１ｂに円滑に嵌合させることができるようになっている。
【００３１】
１４ｄは、前記曲部１４ａの先端から外側に向かって略直角に曲げられ当接部で、前記凸部１４ｂと前記凹部１１ｂとが嵌合したとき、前記シールドケース１１の開口縁１１ｃが当接するようになっている。この当接によって、前記蓋１４の位置決めが可能となるとともに、製造後、何らかのトラブルで前記蓋１４に外部から力が加わっても、前記蓋１４が前記シールドケース１１の開口部１１ａに陥没することを防止できるようになっている。
【００３２】
ところで、前記孔１０ｂの間隔Ａと、前記凸部１４ｂ及び前記凹部１１ｂの間隔Ｂは、前記マグネトロン本体１の基本周波数（２４５０ＭＨｚ）の第５高調波（１２．２５ＧＨｚ）の４分の１波長（約６．１ｍｍ）よりも小さい間隔（本実施例では、６ｍｍ）で形成されているので、孔１０ｂと孔１０ｂとの隙間、あるいは、前記凸部１４ｂと前記凹部１１ｂとが嵌合した嵌合と嵌合との隙間から第５高調波の漏洩を防止できるようになっている。
【００３３】
次に、上記構成における前記シールドケース１１と前記蓋１４との取り付け方法について述べる。
【００３４】
まず、前記蓋１４の曲部１４ａを前記シールドケース１１の開口部１１ａ内に挿入し、前記凸部１４ｂの傾斜面１４ｃに前記シールドケース１１の開口縁１１ｃを当接させる。
【００３５】
次に、前記蓋１４を前記シールドケース１１の上方へ向かって押し込むと、前記開口縁１１ｃが前記傾斜面１４ｃに沿って案内され、前記蓋１４が更に上方に押し込まれる。そして、前記凸部１４ｂが前記凹部１１ｂの位置まで達すると、前記開口縁１１ｃが前記当接部１４ｄに当接するとともに、前記凸部１４ｂが前記凹部１１ｂに嵌合し、前記蓋１４が、前記シールドケース１１の開口部１１ａを覆うようにして前記シールドケース１１へ取り付けられ、作業が終了する。
【００３６】
ところで、本第１実施例では、前記曲部１４ａの外面に凸部１４ｂを、前記シールドケース１１の内面に前記凹部１１ｂをそれぞれ形成し、前記凸部１４ｂと前記凹部１１ｂとを、前記シールドケース１１の内面で嵌合して前記蓋１４を取り付けたが、図７に示すように、前記蓋１４の外周縁に凹溝１４ｅを形成し、該凹溝１４ｅの内面に前記凸部１４ｂを、前記シールドケース１１の開口部１１ａの外面に前記凹部１１ｂをそれぞれ形成し、前記凹溝１４ｅに前記シールドケース１１を挿入し、前記凸部１４ｂと前記凹部１１ｂとを、前記シールドケース１１の外面で嵌合して前記蓋１４を取り付けても構わない。また、前記凸部１４ｂと前記凹部１１ｂとが嵌合したとき、前記シールドケース１１の開口縁１１ｃを前記凹溝１４ｅの底面１４ｇに当接させ、前記蓋１４の位置決めとしても構わない。
【００３７】
上記構成によって、前記蓋１４の曲部１４ａの外面には凸部１４ｂを、前記シールドケース１１には凹部１１ｂをそれぞれ複数形成し、前記凸部１４ｂを前記凹部１１ｂに嵌合して前記蓋１４を前記シールドケース１１に取り付けたので、前記蓋１４を前記シールドケース１１に取り付けるためには、前記凸部１４ｂを前記凹部１１ｂに嵌合させるだけで簡単に取り付けできるので、従来、蓋の先端部を折り曲げてかしめるために必要であったかしめ装置が不要となり、無駄な設備投資を抑えることができるという効果がある。
【００３８】
また、前記凸部１４ｂの上部に、下方に向かって傾斜する傾斜面１４ｃを形成したので、前記蓋１４を前記シールドケース１１の上方へ押し込んで、前記凸部１４ｂを前記凹部１１ｂに嵌合させる作業の際、前記傾斜面１４ｃが下方に向かって傾斜しているため、前記シールドケース１１の開口縁１１ｃが前記傾斜面１４ｃに沿って案内され、前記凸部１４ｂを前記凹部１１ｂに円滑に嵌合させることができるという効果がある。
【００３９】
また、前記凸部１４ｂと前記凹部１１ｂが嵌合したとき、前記シールドケース１１の開口縁１１ｃが当接する当接部１４ｄを前記蓋１４に形成したので、前記シールドケース１１の開口縁１１ｃを前記当接部１４ｄに当接させることによって、前記蓋１４の位置決めが可能となるとともに、製造後、何らかのトラブルで前記蓋１４に外部から力が加わっても、前記蓋１４が前記シールドケース１１の開口部１１ａに陥没することを防止できるという効果がある。
【００４０】
また、前記凸部１４ｂと前記凹部１１ｂとが嵌合する間隔Ｂを、前記マグネトロン本体１の基本周波数（２４５０ＭＨｚ）の第５高調波（１２．２５ＧＨｚ）の４分の１波長（約６．１ｍｍ）よりも小さい間隔（本実施例では、６ｍｍ）で形成したので、前記凸部１４ｂと前記凹部１１ｂとが嵌合した嵌合と嵌合との隙間から第５高調波の漏洩を防止できるという効果がある。
【００４１】
次に、本発明の第２の実施例について、図面に基づき説明する。尚、前述した第１実施例と同一構成については同一番号を付与し、説明を省略する。
【００４２】
図９は、本発明の第２の実施例におけるシールドケースに蓋を取り付けるときの説明図、図１０は、同シールドケースに蓋が取り付けられたときの要部断面図、図１１は、他の実施例の要部断面図である。
【００４３】
１４ｈは、前記曲部１４ａの外面に形成された凹部で、後述するシールドケース１１の凸部１１ｆと嵌合するようになっている。
【００４４】
１１ｆは、前記シールドケース１１の開口部１１ａ近傍に複数形成された凸部で、該凸部１１ｆは、前記蓋１４の凹部１４ｈと嵌合するようになっている。そして、前記凸部１１ｆの下部は、上方に向かって傾斜する傾斜面１１ｇが形成されており、これは、前記蓋１４を前記シールドケース１１の上方へ押し込んで、前記凸部１１ｆを前記凹部１４ｈに嵌合させる際、図８に示すように前記曲部１４ａの上部が前記傾斜面１１ｇに沿って案内されるので、前記凸部１１ｆを前記凹部１４ｈに円滑に嵌合させることができるようになっている。
【００４５】
また、前記凸部１１ｆび前記凹部１４ｈの間隔は、前記マグネトロン本体１の基本周波数（２４５０ＭＨｚ）の第５高調波（１２．２５ＧＨｚ）の４分の１波長（約６．１ｍｍ）よりも小さい間隔（本実施例では、６ｍｍ）、即ち、第１実施例と同じ間隔Ｂで形成されており、前記凸部１１ｆと前記凹部１４ｈとが嵌合した嵌合と嵌合との隙間から第５高調波の漏洩を防止できるようになっている。
【００４６】
次に、上記構成における前記シールドケース１１と前記蓋１４との取り付け方法について述べる。
【００４７】
まず、前記蓋１４の曲部１４ａを前記シールドケース１１の開口部１１ａ内に挿入し、前記凸部１１ｆの傾斜面１１ｇに前記曲部１４ａの上部を当接させる。
【００４８】
次に、前記蓋１４を前記シールドケース１１の上方へ向かって押し込むと、前記曲部１４ａの上部が前記傾斜面１１ｇに沿って案内され、前記蓋１４が更に上方に押し込まれる。そして、前記凹部１４ｈが前記凸部１１ｆの位置まで達すると、前記開口縁１１ｃが前記当接部１４ｄに当接するとともに、前記凸部１１ｆが前記凹部１４ｈに嵌合し、前記蓋１４が、前記シールドケース１１の開口部１１ａを覆うようにして前記シールドケース１１へ取り付けられ、作業が終了する。
【００４９】
ところで、本第２実施例では、前記曲部１４ａの外面に凹部１４ｈを、前記シールドケース１１の内面に前記凸部１１ｆをそれぞれ形成し、前記凸部１１ｆと前記凹部１４ｈとを、前記シールドケース１１の内面で嵌合して前記蓋１４を取り付けたが、図１０に示すように、前記蓋１４の外周縁に形成された凹溝１４ｅの内面に前記凹部１４ｈを、前記シールドケース１１の外面に前記凸部１１ｆをそれぞれ形成し、前記凹溝１４ｅに前記シールドケース１１を挿入し、前記凸部１１ｆと前記凹部１４ｈとを、前記シールドケース１１の外面で嵌合して前記蓋１４を取り付けても構わない。また、前記凸部１１ｆと前記凹部１４ｈとが嵌合したとき、前記シールドケース１１の開口縁１１ｃを前記凹溝１４ｅの底面１４ｇに当接させ、前記蓋１４の位置決めとしても構わない。
【００５０】
上記構成によって、前記蓋１４の曲部１４ａの外面には凹部１４ｈを、前記シールドケース１１には凸部１１ｆをそれぞれ複数形成し、前記凸部１１ｆを前記凹部１４ｈに嵌合して前記蓋１４を前記シールドケース１１に取り付けたので、前記蓋１４を前記シールドケース１１に取り付けるためには、前記凸部１１ｆを前記凹部１４ｈに嵌合させるだけで簡単に取り付けできるので、従来、蓋の先端部を折り曲げてかしめるために必要であったかしめ装置が不要となり、無駄な設備投資を抑えることができるという効果がある。
【００５１】
また、前記凸部１１ｆの下部に、上方に向かって傾斜する傾斜面１１ｇを形成したので、前記蓋１４を前記シールドケース１１の上方へ押し込んで、前記凸部１１ｆを前記凹部１４ｈに嵌合させる作業の際、前記傾斜面１１ｇが上方に向かって傾斜しているため、前記曲部１４ａの上部が前記傾斜面１１ｇに沿って案内され、前記凹部１４ｈを前記凸部１１ｆに円滑に嵌合させることができるという効果がある。
【００５２】
また、前記凸部１１ｆと前記凹部１４ｈが嵌合したとき、前記シールドケース１１の開口縁１１ｃが当接する当接部１４ｄを前記蓋１４に形成したので、前記シールドケース１１の開口縁１１ｃを前記当接部１４ｄに当接すさせることによって、前記蓋１４の位置決めが可能となるとともに、製造後、何らかのトラブルで前記蓋１４に外部から力が加わっても、前記蓋１４が前記シールドケース１１の開口部１１ａに陥没することを防止できるという効果がある。
【００５３】
また、前記凸部１１ｆと前記凹部１４ｈとが嵌合する間隔を、前記マグネトロン本体１の基本周波数（２４５０ＭＨｚ）の第５高調波（１２．２５ＧＨｚ）の４分の１波長（約６．１ｍｍ）よりも小さい間隔（本実施例では、６ｍｍ）で形成したので、前記凸部１１ｆと前記凹部１４ｈとが嵌合した嵌合と嵌合との隙間から第５高調波の漏洩を防止できるという効果がある。
【００５４】
次に、本発明の第３の実施例について、図面に基づき説明する。尚、前述した第１実施例及び第２実施例と同一構成については同一番号を付与し、説明を省略する。
【００５５】
図１２は、本発明の第３の実施例におけるシールドケースに蓋を取り付けるときの要部断面図、図１３は、他の実施例の要部断面図である。
【００５６】
１４ｊは、前記曲部１４ａの外側に、下方に向かって複数形成された折曲片である。そして、前記シールドケース１１の開口縁１１ｃを前記曲部１４ａに当接した後、前記蓋１４を前記シールドケース１１の上方へ押し込み、前記折曲片１４ｊを前記シールドケース１１に当接させると、前記折曲片１４ｊの弾性力が前記シールドケース１１側へ働き、この弾性力によって前記蓋１４が前記シールドケース１１に取り付けできるようになっている。この時、前記開口縁１１ｃが前記当接部１４ｄに当接しているので、それ以上前記蓋１４を押し込めないようになっている。即ち、前記当接部１４ｄによって、前記蓋１４の位置決めができるともに、前記蓋１４が前記シールドケース１１に取り付けされた後、前記蓋１４に外部から力が加わっても、前記蓋１４が前記シールドケース１１の開口部１１ａに陥没することを防止できるようになっている。
【００５７】
また、前記折曲片１４ｊの間隔は、前記マグネトロン本体１の基本周波数（２４５０ＭＨｚ）の第５高調波（１２．２５ＧＨｚ）の４分の１波長（約６．１ｍｍ）よりも小さい間隔（本実施例では、６ｍｍ）、即ち、第１実施例の間隔Ｂと同じに形成されており、折曲片１４ｊと折曲片１４ｊとの隙間から第５高調波の漏洩を防止できるようになっている。
【００５８】
ところで、本第３実施例では、前記曲部１４ａの外側に前記折曲片１４ｊを形成したが、図１２に示すように、前記凹溝１４ｅの内面に前記折曲片１４ｊを形成し、前記折曲片１４ｊを前記シールドケース１１の外面に当接させて、前記蓋１４を取り付けても構わない。また、前記折曲片１４ｊが前記シールドケース１１の外面に当接したとき、前記シールドケース１１の開口縁１１ｃを前記凹溝１４ｅの底面１４ｇに当接させ、前記蓋１４の位置決めとしても構わない。
【００５９】
上記構成によって、前記蓋１４の曲部１４ａの外側に前記折曲片１４ｊを複数形成し、前記折曲片１４ｊを前記シールドケース１１に当接させて前記蓋１４を前記シールドケース１１に取り付けたので、前記蓋１４を前記シールドケース１４に取り付けるためには、前記折曲片１４ｊを前記シールドケース１１に当接させるだけで簡単に取り付けできるので、従来、蓋の先端部を折り曲げてかしめるために必要であったかしめ装置が不要となり、無駄な設備投資を抑えることができるという効果がある。
【００６０】
また、前記折曲片１４ｊが前記シールドケース１１に当接したとき、前記シールドケース１１の開口縁１１ａが前記当接部１４ｄに当接するようにしたので、前記シールドケース１１の開口縁１１ｃを前記当接部１４ｄに当接させることによって、前記蓋１４の位置決めが可能となるとともに、製造後、何らかのトラブルで前記蓋１４に外部から力が加わっても、前記蓋１４が前記シールドケース１１の開口部１１ａに陥没することを防止できるという効果がある。
【００６１】
また、前記折曲片１４ｊの間隔を、前記マグネトロン本体１の基本周波数（２４５０ＭＨｚ）の第５高調波（１２．２５ＧＨｚ）の４分の１波長（約６．１ｍｍ）よりも小さい間隔Ｂ（本実施例では、６ｍｍ）で形成したので、折曲片１４ｊと折曲片１４ｊとの隙間から第５高調波の漏洩を防止できるという効果がある。
【００６２】
次に、本発明の第４の実施例について、図面に基づき説明する。尚、前述した第１実施例乃至第３実施例と同一構成については同一番号を付与し、説明を省略する。
【００６３】
図１４は、本発明の第４の実施例におけるシールドケースに蓋を取り付けるときの要部断面図、図１５は、他の実施例の要部断面図である。
【００６４】
１１ｉは、前記シールドケース１１の内面から上方に向かって複数形成された折曲片である。そして、前記シールドケース１１の開口縁１１ａを前記蓋１４の曲部１４ａに当接した後、前記蓋１４を前記シールドケース１１の上方へ押し込み、前記折曲片１１ｉを前記曲部１４ａの外側に当接させると、前記折曲片１１いの弾性力が前記蓋１４側へ働き、この弾性力によって前記蓋１４が前記シールドケース１１に取り付けできるようになっている。この時、前記開口縁１１ｃが前記当接部１４ｄに当接しているので、それ以上前記蓋１４を押し込めないようになっている。即ち、前記当接部１４ｄによって、前記蓋１４の位置決めができるともに、前記蓋１４が前記シールドケース１１に取り付けされた後、前記蓋１４に外部から力が加わっても、前記蓋１４が前記シールドケース１１の開口部１１ａに陥没することを防止できるようになっている。
【００６５】
また、前記折曲片１１ｉの間隔は、前記マグネトロン本体１の基本周波数（２４５０ＭＨｚ）の第５高調波（１２．２５ＧＨｚ）の４分の１波長（約６．１ｍｍ）よりも小さい間隔（本実施例では、６ｍｍ）、即ち、第１実施例の間隔Ｂと同じに形成されており、折曲片１１ｉ折曲片１１ｉとの隙間から第５高調波の漏洩を防止できるようになっている。
【００６６】
ところで、本第４実施例では、前記シールドケース１１の内面側に前記折曲片１１ｉを形成し、前記折曲片１１ｉを前記曲部１４ａの外側に当接させて、前記蓋１４を取り付けたが、図１４に示すように、前記シールドケース１１の外面側に前記折曲片１１ｉを形成し、該折曲片１１ｉを前記凹溝１４ｅの内面に当接させて、前記蓋１４を取り付けても構わない。
【００６７】
上記構成によって、前記シールドケース１１に前記折曲片１１ｉを複数形成し、前記折曲片１１ｉを前記蓋１４の曲部１４ａの外側に当接させて前記蓋１４を前記シールドケース１１に取り付けたので、前記蓋１４を前記シールドケース１１に取り付けるためには、前記折曲片１１ｉを前記曲部１４ａの外側に当接させるだけで簡単に取り付けできるので、従来、蓋の先端部を折り曲げてかしめるために必要であったかしめ装置が不要となり、無駄な設備投資を抑えることができるという効果がある。
【００６８】
また、前記折曲片１１ｉが前記曲部１４ａの外側に当接したとき、前記シールドケース１１の開口縁１１ｃが前記当接部１４ｄに当接するようにしたので、前記シールドケース１１の開口縁１１ｃを前記当接部１４ａに当接させることによって、前記蓋１４の位置決めが可能となるとともに、製造後、何らかのトラブルで前記蓋１４に外部から力が加わっても、前記蓋１４が前記シールドケース１１の開口部１１ａに陥没することを防止できるという効果がある。
【００６９】
また、前記折曲片１１ｉの間隔を、前記マグネトロン本体１の基本周波数（２４５０ＭＨｚ）の第５高調波（１２．２５ＧＨｚ）の４分の１波長（約６．１ｍｍ）よりも小さい間隔Ｂ（本実施例では、６ｍｍ）で形成したので、折曲片１１ｉと折曲片１１ｉとの隙間から第５高調波の漏洩を防止できるという効果がある。
【００７０】
【発明の効果】
本発明の請求項１によると、蓋には凸部を、シールドケースには凹部をそれぞれ複数形成し、前記凸部を前記凹部に嵌合して前記蓋を前記シールドケースに取り付けたので、前記凸部を前記凹部にそれぞれ嵌合させることで、前記蓋を前記シールドケースに簡単に取り付けることができ、従来、前記蓋の先端部を折り曲げてかしめるために必要であったかしめ装置が不要となり、無駄な設備投資を抑えることができる等の効果を奏する。
【００７１】
本発明の請求項２によると、前記凸部の上部に、下方に向かって傾斜する傾斜面を形成したので、前記蓋を前記シールドケースの上方へ押し込む作業の際、前記傾斜面が下方に向かって傾斜しているため、前記シールドケースの開口縁が前記傾斜面に沿って案内され、前記凸部を前記凹部に円滑に嵌合させることができる等の効果を奏する。
【００７２】
本発明の請求項３によると、蓋には凹部を、シールードケースには凸部をそれぞれ複数形成し、前記凸部を前記凹部に嵌合して前記蓋を前記シールドケースに取り付けたので、従来、前記蓋の先端部を折り曲げてかしめるために必要であったかしめ装置が不要となり、無駄な設備投資を抑えることができる等の効果を奏する。
【００７３】
本発明の請求項４によると、前記凸部の下部に、上方に向かって傾斜する傾斜面を形成したので、前記蓋を前記シールドケースの上方へ押し込む作業の際、前記傾斜面が上方に向かって傾斜しているため、前記蓋を前記シールドケースの開口部方向へ案内しやすくなり、前記凸部を前記凹部に円滑に嵌合させることができる等の効果を奏する。
【００７４】
本発明の請求項５によると、前記凸部と前記凹部が嵌合したとき、前記シールドケースの開口縁が当接する当接部を前記蓋に形成したので、前記凸部を前記凹部に嵌合させる際、前記シールドケースの開口縁が前記当接部に当接することによって位置決めとなり、前記凸部と前記凹部とを円滑に嵌合させることができる。また、製造後、何らかのトラブルで外部から力が加わっても前記シールドケースの開口縁が前記当接部に当接していることで、前記蓋が前記シールドケースの開口部に陥没することを防止できる等の効果を奏する。
【００７５】
本発明の請求項６によると、前記凸部と前記凹部とが嵌合する間隔を基本周波数の所望高調波の４分の１波長以下としたので、前記凸部と前記凹部とが嵌合する間隔を、例えば、最近とくに問題になっている電子レンジ用マグネトロンの基本波（２４５０ＭＨｚ）の第５高調波の４分の１波長以下（１２．２５ＧＨｚ：４分の１波長が約６．１ｍｍ）としておけば、第５高調波の漏洩を防止することができる等の効果を奏する。
【００７６】
本発明の請求項７によると、蓋に傾斜して折り曲げられた折曲片を複数形成し、該折曲片をシールドケースに当接して前記蓋を前記シールドケースに取り付けたので、前記折曲片の弾性力によって、前記蓋を前記シールドケースに簡単に取り付けできるので、従来、前記蓋の先端部を折り曲げてかしめるために必要であったかしめ装置が不要となり、無駄な設備投資を抑えることができる等の効果を奏する。
【００７７】
本発明の請求項８によると、前記折曲片が前記シールドケースに当接したとき、前記前記シールドケースの開口縁が当接する当接部を前記蓋に形成したので、前記蓋の位置決めとなり、前記蓋を所定の位置に配置させることができる。また、製造後、何らかのトラブルで外部から力が加わっても前記シールドケースの開口縁が前記当接部に当接していることで、前記蓋が前記シールドケースの開口部に陥没することを防止できる等の効果を奏する。
【００７８】
本発明の請求項９によると、シールドケースに傾斜して折り曲げられた折曲片を複数形成し、該折曲片を蓋に当接して前記蓋を前記シールドケースに取り付けたので、前記折曲片の弾性力によって、前記蓋を前記シールドケースに簡単に取り付けできるので、従来、前記蓋の先端部を折り曲げてかしめるために必要であったかしめ装置が不要となり、無駄な設備投資を抑えることができる。
【００７９】
本発明の請求項１０によると、前記折曲片が前記蓋に当接したとき、前記前記シールドケースの開口縁が当接する当接部を前記蓋に形成したので、前記蓋の位置決めとなり、前記蓋を所定の位置に配置させることができる。また、製造後、何らかのトラブルで外部から力が加わっても前記シールドケースの開口縁が前記当接部に当接していることで、前記蓋が前記シールドケースの開口部に陥没することを防止できる等の効果を奏する。
【００８０】
本発明の請求項１１によると、前記折曲片の間隔を基本周波数の所望高調波の４分の１波長以下としたので、前記折曲片の間隔を、例えば、最近とくに問題になっている電子レンジ用マグネトロンの基本波（２４５０ＭＨｚ）の第５高調波の４分の１以下波長（１２．２５ＧＨｚ：４分の１波長が約６．１ｍｍ）としておけば、第５高調波の漏洩を防止することができる等の効果を奏する。
【図面の簡単な説明】
【図１】本発明の第１実施例を示すマグネトロンの側面図である。
【図２】同マグネトロンのコンデンサの斜視図である。
【図３】同シールドケースの開口部分を上にしたときの斜視図である。
【図４】同蓋の斜視図である。
【図５】同シールドケースにコンデンサが取り付けられたときの要部断面図である。
【図６】同シールドケースに蓋を取り付けるときの説明図である。
【図７】同シールドケースに蓋が取り付けられたときの要部断面図である。
【図８】他の実施例の要部断面図である。
【図９】本発明の第２の実施例におけるシールドケースに蓋を取り付けるときの説明図である。
【図１０】同シールドケースに蓋が取り付けられたときの要部断面図である。
【図１１】他の実施例の要部断面図である。
【図１２】本発明の第３の実施例におけるシールドケースに蓋を取り付けるときの要部断面図である。
【図１３】他の実施例の要部断面図である。
【図１４】本発明の第４の実施例におけるシールドケースに蓋を取り付けるときの要部断面図である。
【図１５】他の実施例の要部断面図である。
【符号の説明】
１　　　　　　　　　　本体
１０　　　　　　　　　　コンデンサ（フィルタ）
１１　　　　　　　　　　シールドケース
１１ａ　　　　　　　　　開口部
１４　　　　　　　　　　蓋
１４ｂ　　　　　　　　　凸部（蓋側）
１１ｂ　　　　　　　　　凹部（シールドケース側）
１４ｃ、１１ｇ　　　　　傾斜面
１４ｈ　　　　　　　　　凹部（蓋側）
１１ｆ　　　　　　　　　凸部（シールドケース側）
１４ｄ　　　　　　　　　当接部
Ｂ　　　　　　　　　間隔
１４ｊ　　　　　　　　　折曲片（蓋側）
１４ｇ　　　　　　　　　底面（当接部）
１１ｉ　　　　　　　　　折曲片（シールドケース側）
【図１】
2004119321.tif 000003
【図２】
2004119321.tif 000004
【図３】
2004119321.tif 000005
【図４】
2004119321.tif 000006
【図５】
2004119321.tif 000007
【図６】
2004119321.tif 000008
【図７】
2004119321.tif 000009
【図８】
2004119321.tif 000010
【図９】
2004119321.tif 000011
【図１０】
2004119321.tif 000012
【図１１】
2004119321.tif 000013
【図１２】
2004119321.tif 000014
【図１３】
2004119321.tif 000015
【図１４】
2004119321.tif 000016
【図１５】
2004119321.tif 000017